(57)【要約】【課題】島設備内において案内部材を強固に取り付けることができるとともに、搬送ベルトに対して遊技媒体を円滑、且つ、確実に案内させることができる遊技媒体回収装置を提供する。【解決手段】パチンコ遊技機から排出された遊技球を搬送可能な搬送ベルト１０と、搬送ベルト１０を回動可能に内在するフレーム部１１と、搬送ベルト１０を駆動させるモータ１２と、搬送ベルト１０の一端側に配設され、モータ１２の駆動力を搬送ベルト１０に伝達し得る駆動ローラ１３と、搬送ベルト１０の他端側に配設された従動ローラ１４と、パチンコ遊技機から排出された遊技球を受けるとともに、その遊技球を搬送ベルト１０まで案内する案内部材１８とを具備し、フレーム部１１の縁部にフランジ部１１ｃが形成されるとともに、当該フランジ部１１ｃに案内部材１８の端部を支持させつつ固定させたものである。【選択図】図１３
2014171659.tif 000002
【特許請求の範囲】
【請求項１】
遊技機が設置可能な島設備の内部に配設され、当該遊技機から排出された遊技媒体を回収可能な遊技媒体回収装置において、
前記島設備の延設方向に亘って無端状に懸架されて回動可能とされるとともに、前記遊技機から排出された遊技媒体を搬送可能な搬送ベルトと、
該搬送ベルトを回動可能に内在するフレーム部と、
前記搬送ベルトを駆動させる駆動手段と、
前記搬送ベルトの一端側に配設され、前記駆動手段の駆動力を搬送ベルトに伝達し得る駆動ローラと、
前記搬送ベルトの他端側に配設された従動ローラと、
前記遊技機から排出された遊技媒体を受けるとともに、その遊技媒体を前記搬送ベルトまで案内する案内部材と、
を具備し、前記フレーム部の縁部にフランジ部が形成されるとともに、当該フランジ部に前記案内部材の端部を支持させつつ固定させたことを特徴とする遊技媒体回収装置。
【請求項２】
前記案内部材は、その端部に前記フランジ部を挟持する挟持部材が形成されたことを特徴とする請求項１記載の遊技媒体回収装置。
【請求項３】
前記挟持部材は、前記フランジ部に対する挟持位置を調整可能とされたことを特徴とする請求項２記載の遊技媒体回収装置。
【請求項４】
前記案内部材がフランジ部に固定された状態において、当該案内部材の案内面と前記搬送ベルトの搬送面とが略等しい高さとされたことを特徴とする請求項１〜３の何れか１つに記載の遊技媒体回収装置。
【請求項５】
前記駆動ローラは、周方向に複数の凸部が形成されたスプロケットから成るとともに、前記搬送ベルトは、前記凸部に嵌合し得る嵌合孔が形成されたことを特徴とする請求項１〜４の何れか１つに記載の遊技媒体回収装置。
【請求項６】
前記遊技機は、遊技球を遊技媒体とするパチンコ遊技機から成るとともに、前記嵌合孔は、前記搬送ベルトの搬送面から裏面まで貫通して成り、当該搬送面上の遊技球を保持し得るよう構成されたことを特徴とする請求項５記載の遊技媒体回収装置。
【発明の詳細な説明】
【技術分野】
【０００１】
本発明は、遊技機が設置可能な島設備の内部に配設され、当該遊技機から排出された遊技媒体を回収可能な遊技媒体回収装置に関するものである。
【背景技術】
【０００２】
パチンコ遊技機やスロットマシンが設置される島設備は、遊技場のホールに設置され、複数の遊技機が横並びに配設されるとともに、それぞれの遊技機に対する電力の供給、及び遊技機で使用される遊技球やコイン等の遊技媒体の供給或いは回収等を行い得るよう構成されている。かかる島設備の内部には、従来より、各遊技機に遊技媒体を補給し得る遊技媒体補給装置や、各遊技機から排出された遊技媒体を回収し得る遊技媒体回収装置が配設されていた（例えば、特許文献１参照）。
【先行技術文献】
【特許文献】
【０００３】
【特許文献１】特開２０１１−６７５１５号公報
【発明の概要】
【発明が解決しようとする課題】
【０００４】
しかしながら、上記従来の遊技媒体回収装置においては、島設備内で傾斜して配設された樋から成るものとされ、遊技機から排出された遊技媒体がその自重で流下し得るよう構成されていたので、樋の傾斜角度を確保する必要があり、島設備の高さ寸法が大きくなってしまうという問題があった。そこで、本出願人は、傾斜して配設させる必要がある樋に代えて、島設備の延設方向に配設された搬送ベルトにて遊技媒体を回収させることを検討するに至った。
【０００５】
しかるに、搬送ベルトを駆動させるモータ等の駆動手段と、搬送ベルトの一端側に配設されて駆動手段の駆動力を搬送ベルトに伝達させる駆動ローラと、搬送ベルトの他端側に配設された従動ローラとを具備した遊技媒体回収装置とすることにより、搬送ベルトの回動によって遊技機から排出された遊技媒体を搬送して回収させることができるが、その場合、例えば遊技機から排出された遊技媒体を受けるとともに、その遊技媒体を搬送ベルトまで案内する案内部材が必要となる。このような案内部材は、島設備内において強固に取り付けられ、かつ、搬送ベルトに対して遊技媒体を円滑、且つ、確実に案内させる必要があった。
【０００６】
本発明は、このような事情に鑑みてなされたもので、島設備内において案内部材を強固に取り付けることができるとともに、搬送ベルトに対して遊技媒体を円滑、且つ、確実に案内させることができる遊技媒体回収装置を提供することにある。
【課題を解決するための手段】
【０００７】
請求項１記載の発明は、遊技機が設置可能な島設備の内部に配設され、当該遊技機から排出された遊技媒体を回収可能な遊技媒体回収装置において、前記島設備の延設方向に亘って無端状に懸架されて回動可能とされるとともに、前記遊技機から排出された遊技媒体を搬送可能な搬送ベルトと、該搬送ベルトを回動可能に内在するフレーム部と、前記搬送ベルトを駆動させる駆動手段と、前記搬送ベルトの一端側に配設され、前記駆動手段の駆動力を搬送ベルトに伝達し得る駆動ローラと、前記搬送ベルトの他端側に配設された従動ローラと、前記遊技機から排出された遊技媒体を受けるとともに、その遊技媒体を前記搬送ベルトまで案内する案内部材とを具備し、前記フレーム部の縁部にフランジ部が形成されるとともに、当該フランジ部に前記案内部材の端部を支持させつつ固定させたことを特徴とする。
【０００８】
請求項２記載の発明は、請求項１記載の遊技媒体回収装置において、前記案内部材は、その端部に前記フランジ部を挟持する挟持部材が形成されたことを特徴とする。
【０００９】
請求項３記載の発明は、請求項２記載の遊技媒体回収装置において、前記挟持部材は、前記フランジ部に対する挟持位置を調整可能とされたことを特徴とする。
【００１０】
請求項４記載の発明は、請求項１〜３の何れか１つに記載の遊技媒体回収装置において、前記案内部材がフランジ部に固定された状態において、当該案内部材の案内面と前記搬送ベルトの搬送面とが略等しい高さとされたことを特徴とする。
【００１１】
請求項５記載の発明は、請求項１〜４の何れか１つに記載の遊技媒体回収装置において、前記駆動ローラは、周方向に複数の凸部が形成されたスプロケットから成るとともに、前記搬送ベルトは、前記凸部に嵌合し得る嵌合孔が形成されたことを特徴とする。
【００１２】
請求項６記載の発明は、請求項５記載の遊技媒体回収装置において、前記遊技機は、遊技球を遊技媒体とするパチンコ遊技機から成るとともに、前記嵌合孔は、前記搬送ベルトの搬送面から裏面まで貫通して成り、当該搬送面上の遊技球を保持し得るよう構成されたことを特徴とする。
【発明の効果】
【００１３】
請求項１の発明によれば、フレーム部の縁部にフランジ部が形成されるとともに、当該フランジ部に案内部材の端部を支持させつつ固定させたので、島設備内において案内部材を強固に取り付けることができるとともに、搬送ベルトに対して遊技媒体を円滑、且つ、確実に案内させることができる。
【００１４】
請求項２の発明によれば、案内部材は、その端部にフランジ部を挟持する挟持部材が形成されたので、フランジ部に対して案内部材をより強固に取り付けることができる。
【００１５】
請求項３の発明によれば、挟持部材は、フランジ部に対する挟持位置を調整可能とされたので、案内部材の取り付け作業をより容易、且つ、円滑に行わせることができる。
【００１６】
請求項４の発明によれば、案内部材がフランジ部に固定された状態において、当該案内部材の案内面と搬送ベルトの搬送面とが略等しい高さとされたので、搬送ベルトで搬送される遊技球と案内部材との間で生じる摩擦を抑制することができ、遊技媒体をより円滑に搬送させることができる。
【００１７】
請求項５の発明によれば、駆動ローラは、周方向に複数の凸部が形成されたスプロケットから成るとともに、搬送ベルトは、凸部に嵌合し得る嵌合孔が形成されたので、駆動手段の駆動力をより確実に搬送ベルトに伝達させることができる。よって、駆動手段の駆動力をそれほど高くしなくても搬送ベルトを確実に回動させることができ、遊技媒体の搬送効率をより向上させることができる。
【００１８】
請求項６の発明によれば、遊技機は、遊技球を遊技媒体とするパチンコ遊技機から成るとともに、嵌合孔は、搬送ベルトの搬送面から裏面まで貫通して成り、当該搬送面上の遊技球を保持し得るよう構成されたので、搬送ベルトの嵌合孔が凸部と嵌合する機能と遊技球を保持する機能とを兼ね備えることができる。
【図面の簡単な説明】
【００１９】
【図１】本発明の実施形態に係る遊技媒体回収装置が適用される島設備を示す全体模式図
【図２】同島設備の内部を示す断面図
【図３】本発明の実施形態に係る遊技媒体回収装置におけるユニット（フレーム部に取り付けられた状態）を示す正面図
【図４】同ユニットを上方から見た断面図
【図５】同ユニットを側面から見た断面図
【図６】同ユニットをフレーム部から取り外した状態を示す正面図
【図７】同ユニット（フレーム部から取り外した状態）を側面から見た断面図
【図８】同遊技媒体回収装置における従動ローラ（フレーム部に取り付けられた状態）を示す正面図
【図９】同従動ローラを側面から見た断面図
【図１０】本実施形態に係る遊技媒体回収装置に適用される駆動ローラを示す正面図及び側面図
【図１１】本実施形態に係る遊技媒体回収装置に適用される従動ローラを示す正面図及び側面図
【図１２】本実施形態に係る遊技媒体回収装置に適用される搬送ベルトを示す平面図及び断面図
【図１３】本実施形態に係る遊技媒体回収装置に適用される案内部材を示す側面から見た断面図
【図１４】同案内部材を示す平面図
【発明を実施するための形態】
【００２０】
以下、本発明の実施形態について図面を参照しながら具体的に説明する。
本実施形態に係る遊技媒体回収装置は、図１、２に示すように、遊技機としてのパチンコ遊技機２が複数並列して設置された島設備１内に配設されたものである。かかる島設備１は、それぞれのパチンコ遊技機２に電力を供給し得るとともに、各パチンコ遊技機２に遊技媒体としての遊技球を補給し、或いは当該パチンコ遊技機２から排出された遊技球を回収する手段を具備したものである。
【００２１】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００２２】
島設備１は、パチンコ遊技機２に電力を供給し得る電力供給手段（不図示）を具備するとともに、図１で示すように、各パチンコ遊技機２に補給する遊技球が自重により流下する流路としての補給樋４と、モータ等の駆動力にて遊技球を略垂直に搬送するリフタ８と、遊技媒体回収装置９とを具備したものである。また、島設備１の上部には、島上タンク３が配設されており、リフタ８で上方に搬送された遊技球は、島上タンク３に至り、そこから補給樋４を流下して各パチンコ遊技機２に補給されるよう構成されている。
【００２３】
具体的には、補給樋４は、島上タンク３から下方に傾斜しつつ延設されており、その途中が各パチンコ遊技機２と接続されることにより、当該補給樋４から各パチンコ遊技機２に遊技球が流下して補給されることとなる。そして、パチンコ遊技機２における入賞口或いはアウト穴から導かれた遊技球は、当該パチンコ遊技機２から排出され、遊技媒体回収装置９に落下することとなる。また、遊技媒体回収装置９の回収側には、遊技球を収容し得る回収手段７が設置されており、遊技媒体回収装置９にて搬送された遊技球が回収手段７にて収容され、そこからリフタ８を介して島上タンク３に揚送し得るようになっている。
【００２４】
一方、島上タンク３からは、パチンコ遊技機２を介さず遊技球を流下させるオーバーフロー樋５が延設されており、このオーバーフロー樋５の先端には、遊技媒体回収装置９まで延びる落下流路６が接続されている。かかるオーバーフロー樋５は、補給樋４が遊技球で満杯となったときに島上タンク３の遊技球を遊技媒体回収装置９まで直接流すためのものである。これにより、遊技球は、オーバーフロー樋５から落下流路６を介して自重により落下して遊技媒体回収装置９に至り、そこから回収手段７及びリフタ８に順次搬送され、島上タンク３に導入されることとなる。
【００２５】
本実施形態に係る遊技媒体回収装置９は、図２に示すように、パチンコ遊技機２が設置可能な島設備１の内部に配設され、それぞれのパチンコ遊技機２から排出された遊技球を回収手段７まで搬送して回収可能なもので、図３〜９に示すように、無端状に配設された搬送ベルト１０と、フレーム部１１と、駆動手段としてのモータ１２と、搬送ベルト１０の一方の側に配設された駆動ローラ１３と、搬送ベルト１０の他方の側に配設された従動ローラ１４と、取付部１５と、保持部１６と、調整手段としての棒状部材１７と、案内部材１８とから主に構成されている。
【００２６】
搬送ベルト１０は、島設備１の延設方向に亘って無端状に懸架されて回動可能とされるとともに、パチンコ遊技機２から排出された遊技球を搬送可能なもので、駆動ローラ１３、従動ローラ１４及び複数のガイドローラＧにて懸架されている。より具体的には、本実施形態に係る搬送ベルト１０は、図１２に示すように、複数の樹脂製部品Ｐを連結部材Ｒにて長手方向に組み付けた無端状部材から成り、組み付けられた隣り合う樹脂製部品Ｐの間に嵌合孔Ｓが形成されている。
【００２７】
かかる嵌合孔Ｓは、駆動ローラ１３の外周面に形成された凸部１３ａ（後で詳述する）に嵌合し得るとともに、搬送ベルト１０の搬送面１０ａから裏面１０ｂまで貫通して成り、当該搬送面１０ａ上の遊技球を保持し得るよう構成されている。すなわち、嵌合孔Ｓは、搬送面１０ａから裏面１０ｂまで貫通して成ることから、裏面１０ｂ側の開口にて駆動ローラ１３の凸部１３ａを嵌合させ得るとともに、搬送面１０ａ側の開口にて遊技球を保持し得るのである。
【００２８】
フレーム部１１は、搬送ベルト１０を回動可能に内在するもので、当該搬送ベルト１０を回動自在に支持するための板材Ｆ（図１３参照）を有している。すなわち、駆動ローラ１３を駆動させると、搬送ベルト１０は、その裏面１０ｂがフレーム部１１に形成された板材Ｆ上を摺動しつつ当該駆動ローラ１３と従動ローラ１４との間で回動するので、その回動方向に向かってパチンコ遊技機２から排出された遊技球を搬送することとなる。
【００２９】
モータ１２（駆動手段）は、搬送ベルト１０を駆動させるための駆動源であり、図３〜５に示すように、出力軸と共に回転し得るスプロケットＢ１を有している。このスプロケットＢ１は、チェーンＣを介してスプロケットＢ２と連結されており、当該スプロケットＢ２は、駆動ローラ１３と連結されている。しかして、モータ１２を駆動してスプロケットＢ１を回転させると、その駆動力がチェーンＣを介してスプロケットＢ２に伝達され、駆動ローラ１３を回転させるようになっている。
【００３０】
駆動ローラ１３は、モータ１２の駆動力を搬送ベルト１０に伝達し得るもので、本実施形態においては、図１０に示すように、周方向に複数の凸部１３ａが形成されたスプロケットから成る。なお、本実施形態に係る凸部１３ａは、駆動ローラ１３の外周面において周方向に亘って２列形成されており、当該駆動ローラ１３が回転して各凸部１３ａが搬送ベルト１０の嵌合孔Ｓに順次嵌合することで、モータ１２の駆動力が伝達され得るようになっているが、周方向に亘って１列、或いは３列以上形成されたものであってもよい。
【００３１】
ここで、本実施形態においては、図７に示すように、モータ１２（駆動手段）及び駆動ローラ１３を含む駆動機構（例えば、動力伝達のためのスプロケットＢ１、Ｂ２等含む）が単一のユニットＹを構成し、図６に示すように、当該ユニットＹがフレーム部１１に対して脱着可能とされている。具体的には、フレーム部１１におけるユニットＹの取付位置には、上方に開口した凹形状の駆動側切欠き部１１ａが形成されるとともに、ユニットＹは、当該駆動側切欠き部１１ａに嵌合し得る嵌合部Ｙａを有するものとされ、当該駆動側切欠き部１１ａに嵌合部Ｙａを嵌合させることによりユニットＹがフレーム部１１に取り付けられるようになっている。
【００３２】
しかして、搬送ベルト１０が駆動ローラ１３に懸架された状態においても、ユニットＹを上方に持ち上げることで、当該ユニットＹをフレーム部１１から取り外すことができるとともに、嵌合部Ｙａを駆動側切欠き部１１ａに嵌合させてユニットＹをフレーム部１１に取り付けることで、搬送ベルト１０に張力が付与されても、嵌合部Ｙａの側壁が駆動側切欠き部１１ａの開口縁壁に当接することで、当該張力を受けることができる。なお、フレーム部１１のユニットＹを取り付ける位置には、係止部材Ａが形成されており、駆動側切欠き部１１ａに嵌合部Ｙａを嵌合させた状態のユニットＹを当該係止部材Ａにて係止することで、上方に対する抜け止めが可能とされている。
【００３３】
従動ローラ１４は、搬送ベルト１０の他端側に配設されて駆動ローラ１３との間で当該搬送ベルト１０を懸架させるもので、本実施形態においては、図１１に示すように、側面が平滑な（すなわち、凸部又は凹部等が形成されない）円筒状部材から成る。ここで、本実施形態に係る従動ローラ１４は、搬送ベルト１０の延設方向に移動可能とされ、その移動により搬送ベルト１０に張力を付与するとともに当該張力を調整可能とされている。
【００３４】
より具体的には、本実施形態においては、フレーム部１１における従動ローラ１４の取付位置には、搬送ベルト１０の延設方向に延設された従動側切欠き部１１ｂが形成されるとともに、図８、９に示すように、フレーム部１１の所定部位（本実施形態においては、フレーム部１１の端部）に取り付け可能な取付部１５と、従動ローラ１４を回転自在に保持する保持部１６と、取付部１５と保持部１６とを連結するとともに、当該取付部１５と保持部１６との離間寸法を任意調整し得る調整手段としての棒状部材１７とを具備している。
【００３５】
保持部１６は、図９に示すように、従動ローラ１４を回転自在に保持するとともに、従動側切欠き部１１ｂに嵌合して取り付けられることで、当該従動側切欠き部１１ｂに沿って嵌合しつつ移動可能とされている。また、棒状部材１７は、側面にネジ（雄ネジ）が形成された棒状部１７ａと、棒状部１７ａの基端に形成された頭部１７ｂとが形成されており、棒状部１７ａの所定部位が保持部１６に形成された孔１６ａに挿通されるとともに、頭部１７ｂ側が取付部１５にて回転自在に支持されている。
【００３６】
一方、保持部１６の孔１６ａには、棒状部１７ａに形成されたネジ（雄ネジ）と対応したネジ（雌ネジ）が形成されており、保持部１６が棒状部材１７のネジに螺合して取り付けられている。しかして、頭部１７ｂを工具等にて回転させて棒状部１７ａ全体を回転させることで、保持部１６が取付部１５に対して近接又は離間する方向に移動するようになっている。これにより、保持部１６及び従動ローラ１４は、従動側切欠き部１１ｂに沿って移動可能とされ、取付部１５と保持部１６との離間寸法を任意調整し得るようになっている。
【００３７】
例えば、従動ローラ１４が、図８（ａ）で示す位置（取付部１５に近接した位置）にあるとき、当該搬送ベルト１０に張力（テンション）を付与し得るとともに、同図（ｂ）で示す位置（取付部１５から離間した位置）にあるとき、当該搬送ベルト１０の張力を緩める或いは張力を解くことができるのである。しかして、棒状部材１７を回転させて従動ローラ１４を任意の位置とすれば、搬送ベルト１０に付与される張力を調整することができる。
【００３８】
また、本実施形態に係る従動側切欠き部１１ｂは、フレーム部１１の端部まで延びて開口するとともに、当該開口にて保持部１６及び従動ローラ１４の取り付け及び取り外しが可能とされている。すなわち、取付部１５のフレーム部１１に対する固定を取り外し、外側（図８中左側）に引っ張ることで、保持部１６が従動側切欠き部１１ｂに沿って同方向に移動し、当該保持部１６及び棒状部材１７と共に従動側切欠き部１１ｂの開口から取り外し可能とされているのである。
【００３９】
案内部材１８は、搬送ベルト１０の両側にそれぞれ配設され、パチンコ遊技機２から排出された遊技球（遊技媒体）を受けるとともに、その遊技球を搬送ベルト１０まで案内するためのもので、フレーム部１１に形成されたフランジ部１１ｃ（図４等参照）に端部が支持されつつ固定されて島設備１内に組み付けられるよう構成されている。すなわち、フレーム部１１における搬送ベルト１０の両側に位置する側壁部には、外側に向かって延設されたフランジ部１１ｃが形成されており、当該フランジ部１１ｃに案内部材１８の端部が固定されているのである。
【００４０】
より具体的には、案内部材１８は、図１３に示すように、遊技球を受け得る受け板１８ａと、一端部が島設備１に固定され得る取付板１８ｂと、受け板１８ａ及び取付板１８ｂの端部をフランジ部１１ｃに挟持させ得る挟持部材１９とから主に構成されており、受け板１８ａ及び取付板１８ｂが重ねられた状態とされつつ、それら端部がフレーム部１１のフランジ部１１ｃに固定されるようになっている。また、受け板１８ａ及び取付板１８ｂには、図１４に示すように、それぞれ長孔１８ａａが形成されており、当該長孔１８ａａにネジｎが挿通可能とされているとともに、当該ネジｎにて取付板１８ｂの裏面側に挟持部材１９が取り付けられている。
【００４１】
しかして、受け板１８ａ及び取付板１８ｂを重ねた状態として、取付板１８ｂの一端部を島設備１にビス等で固定させつつ受け板１８ａ及び取付板１８ｂの他端部をフレーム部１１のフランジ部１１ｃ上に載置させる。なお、他端部を載置する際には、挟持部材１９は、フランジ部１１ｃと干渉しない位置まで退避している。そして、挟持部材１９を長孔１８ａａに沿って移動させ、フレーム部１１に近接した位置とすることにより、取付板１８ｂ及び挟持部材１９にてフランジ部１１ｃを挟持させることができる。
【００４２】
このように、本実施形態に係る挟持部材１９は、フランジ部１１ｃに対して近接又は離間する方向に移動可能とされているので、当該フランジ部１１ｃに対する挟持位置を調整可能とされている。また、本実施形態によれば、案内部材１８がフランジ部１１ｃに固定された状態において、当該案内部材１８の案内面（受け板１８ａの上面）と搬送ベルト１０の搬送面１０ａとが略等しい高さとされている。
【００４３】
上記実施形態によれば、フレーム部１１の縁部にフランジ部１１ｃが形成されるとともに、当該フランジ部１１ｃに案内部材１８の端部を支持させつつ固定させたので、島設備１内において案内部材１８を強固に取り付けることができるとともに、搬送ベルト１０に対して遊技球（遊技媒体）を円滑、且つ、確実に案内させることができる。特に、本実施形態によれば、案内部材１８は、その端部にフランジ部１１ｃを挟持する挟持部材１９が形成されたので、フランジ部１１ｃに対して案内部材１８をより強固に取り付けることができる。
【００４４】
また、本実施形態に係る挟持部材１８は、フランジ部１１ｃに対する挟持位置を調整可能とされたので、案内部材１８の取り付け作業をより容易、且つ、円滑に行わせることができる。さらに、案内部材１８がフランジ部１１ｃに固定された状態において、当該案内部材１８の案内面と搬送ベルト１０の搬送面１０ａとが略等しい高さとされたので、搬送ベルト１０で搬送される遊技球と案内部材１８との間で生じる摩擦を抑制することができ、遊技球をより円滑に搬送させることができる。
【００４５】
加えて、本実施形態によれば、モータ１２（駆動手段）及び駆動ローラ１３を含む駆動機構がユニットＹを構成し、当該ユニットＹがフレーム部１１に対して脱着可能とされたので、モータ１２及び駆動ローラ１３を含む駆動機構を容易に取り付け及び取り外しさせることができ、当該駆動機構の修理及びメンテナンス時の作業性を向上させることができる。なお、モータ１２に代えて搬送ベルト１０を回動させる他の駆動手段としてもよい。
【００４６】
また、本実施形態によれば、フレーム部１１におけるユニットＹの取付位置には、上方に開口した凹形状の駆動側切欠き部１１ａが形成されるとともに、ユニットＹは、当該駆動側切欠き部１１ａに嵌合し得る嵌合部Ｙａを有するものとされ、当該駆動側切欠き部１１ａに嵌合部Ｙａを嵌合させることによりユニットＹがフレーム部１１に取り付けられるので、ユニットＹに付与される搬送ベルト１０の張力を凹形状の側縁部にて受けて、その張力に抗することができる。したがって、ユニットＹに付与される搬送ベルト１０の張力に抗するための別個の手段を不要とすることができ、構成を簡素化させることができる。
【００４７】
さらに、駆動側切欠き部１１ａに嵌合部Ｙａを嵌合させることによりユニットＹがフレーム部１１に取り付けられるので、ユニットＹのフレーム部１１に対する固定をより確実且つ円滑に行わせることができる。さらに、ユニットＹを上方に持ち上げることによって当該ユニットＹをフレーム部１１から取り外し可能とされるので、駆動ローラ１３に搬送ベルト１０を懸架させた状態を維持しつつユニットＹをフレーム部１１から取り外すことができ、モータ１２及び駆動ローラ１３を含む駆動機構の取り外し作業及びその後の取り付け作業をより容易且つ円滑に行わせることができる。
【００４８】
またさらに、本実施形態に係る駆動ローラ１３は、周方向に複数の凸部１３ａが形成されたスプロケットから成るとともに、搬送ベルト１０は、凸部１３ａに嵌合し得る嵌合孔Ｓが形成されたので、モータ１２の駆動力をより確実に搬送ベルト１０に伝達させることができる。よって、モータ１２の駆動力をそれほど高くしなくても搬送ベルト１０を確実に回動させることができ、遊技球（遊技媒体）の搬送効率をより向上させることができる。
【００４９】
また、本実施形態に係る遊技機は、遊技球を遊技媒体とするパチンコ遊技機２から成るとともに、嵌合孔Ｓは、搬送ベルト１０の搬送面１０ａから裏面１０ｂまで貫通して成り、当該搬送面１０ａ上の遊技球を保持し得るよう構成されたので、搬送ベルト１０の嵌合孔Ｓが凸部１３ａと嵌合する機能と遊技球を保持する機能とを兼ね備えることができる。なお、搬送ベルト１０に代えて、遊技媒体を搬送し得る他の形態のものとしてもよい。
【００５０】
さらに加えて、本実施形態に係る従動ローラ１４は、搬送ベルト１０の延設方向に移動可能とされ、その移動により搬送ベルト１０に張力を付与するとともに当該張力を調整可能とされたので、別個に張力を付与するための手段を必要とするものに比べ、製造コスト及びメンテナンスのためのコストを抑制できるとともに、搬送ベルト１０に対して容易、且つ、確実に任意の張力を付与することができる。
【００５１】
また、本実施形態によれば、フレーム部１１の所定部位に取り付け可能な取付部１５と、従動ローラ１４を回転自在に保持する保持部１６と、取付部１５と保持部１６とを連結するとともに、当該取付部１５と保持部１６との離間寸法を任意調整し得る棒状部材１７（調整手段）とを具備したので、より簡易な構成にて搬送ベルト１０に対して任意の張力を付与することができる。なお、棒状部材１７に代えて、取付部１５と保持部１６との離間寸法を任意調整し得る他の形態の調整手段としてもよい。
【００５２】
さらに、フレーム部１１における従動ローラ１４の取付位置には、搬送ベルト１０の延設方向に延設された従動側切欠き部１１ｂが形成されるとともに、保持部１６及び従動ローラ１４は、当該従動側切欠き部１１ｂに沿って移動可能とされたので、搬送ベルト１０に対して保持部１６及び従動ローラ１４をより円滑に移動させることができる。また、従動側切欠き部１１ｂは、フレーム部１１の端部まで延びて開口するとともに、当該開口にて保持部１６及び従動ローラ１４の取り付け及び取り外しが可能とされたので、保持部１６及び従動ローラ１４の取り付け作業及び取り外し作業をより容易、且つ、円滑に行わせることができる。
【００５３】
またさらに、調整手段は、側面にネジが形成された棒状部材１７から成るとともに、保持部１６が当該ネジに螺合して取り付けられたので、搬送ベルト１０に対して保持部１６及び従動ローラ１４をより容易、且つ、円滑に移動させることができる。また、本実施形態に係る従動ローラ１４は、側面が平滑な円筒状部材から成るので、搬送ベルト１０に付与する張力の調整時、従動ローラ１４に搬送ベルト１０を懸架させた状態で作業を行わせることができる。
【００５４】
以上、本実施形態について説明したが、本発明はこれに限定されるものではなく、例えば遊技機としてスロットマシン（所謂パチスロ）が設置された島設備の遊技媒体回収装置であってもよい。その場合、遊技媒体回収装置で回収される遊技媒体は、スロットマシンで使用されるコインとされる。また、異なる形態の遊技機（例えばパチンコ遊技機及びスロットマシン等）が設置された島設備の遊技媒体回収装置であってもよい。
【産業上の利用可能性】
【００５５】
遊技機から排出された遊技媒体を受けるとともに、その遊技媒体を搬送ベルトまで案内する案内部材を具備し、フレーム部の縁部にフランジ部が形成されるとともに、当該フランジ部に案内部材の端部を支持させつつ固定させた遊技媒体回収装置であれば、外観形状が異なるもの或いは他の機能が付加されたもの等に適用してもよい。
【符号の説明】
【００５６】
１  島設備
２  パチンコ遊技機
３  島上タンク
４  補給樋
５  オーバーフロー樋
６  流下流路
７  回収手段
８  リフタ
９  遊技媒体回収装置
１０  搬送ベルト
１１  フレーム部
１１ａ  駆動側切欠き部
１１ｂ  従動側切欠き部
１２  モータ（駆動手段）
１３  駆動ローラ
１４  従動ローラ
１５  取付部
１６  保持部
１７  棒状部材（調整手段）
１８  案内部材
１９  挟持部材
【図１】
2014171659.tif 000003
【図２】
2014171659.tif 000004
【図３】
2014171659.tif 000005
【図４】
2014171659.tif 000006
【図５】
2014171659.tif 000007
【図６】
2014171659.tif 000008
【図７】
2014171659.tif 000009
【図８】
2014171659.tif 000010
【図９】
2014171659.tif 000011
【図１０】
2014171659.tif 000012
【図１１】
2014171659.tif 000013
【図１２】
2014171659.tif 000014
【図１３】
2014171659.tif 000015
【図１４】
2014171659.tif 000016